(57)【要約】【課題】容易に洗濯することができ、しかも、携帯性に優れ、ペットが安心して快適に過ごせるペット用ベッドを提供する。【解決手段】タオル地からなる矩形状のシート本体の両側部を互いに近接する方向に巻回して壁部３を形成し、これら壁部３の両端近傍を結束部材４によって結束し、さらにこれら壁部３の中央付近を互いに離間する方向へ引き離して湾曲させることにより、シート部２上における壁部３同士の間に、平面視略楕円形状のペット収容スペースＳが形成されたペット用ベッド１とする。【選択図】図１
0003117377.tif 000002
【実用新案登録請求の範囲】
【請求項１】
シート部と、該シート部の両側部に沿って設けられた一対の壁部とを有し、前記壁部は、その両端が互いに結束され、中央付近が外方へ湾曲され、前記シート部上における前記壁部同士の間に、平面視略楕円形状のペット収容スペースが形成されていることを特徴とするペット用ベッド。
【請求項２】
前記壁部は、前記ペット収容スペースに収容させるペットの胴回りと略等しい径に形成されていることを特徴とする請求項１に記載のペット用ベッド。
【請求項３】
矩形状のシート本体の両側部を互いに近接する方向に巻回して前記壁部を形成し、これら壁部の両端近傍を結束し、さらにこれら壁部の中央付近を互いに離間する方向へ引き離して湾曲させることにより形成されたことを特徴とする請求項１または請求項２に記載のペット用ベッド。
【請求項４】
前記シート本体は、タオル地からなることを特徴とする請求項３に記載のペット用ベッド。
【請求項５】
前記シート本体は、フリース地からなることを特徴とする請求項３に記載のペット用ベッド。
【請求項６】
前記シート本体には、その中央部分にポケット部を備えていることを特徴とする請求項３から５のいずれか１項に記載のペット用ベッド。
【請求項７】
前記ポケット部には、ヒータが収納されていることを特徴とする請求項６に記載のペット用ベッド。
【請求項８】
前記ポケット部には、保冷材が収納されていることを特徴とする請求項６に記載のペット用ベッド。
【請求項９】
前記壁部は、芯材を中心に入れて前記シート本体の両側部を巻回することにより形成されていることを特徴とする請求項３から８のいずれか１項に記載のペット用ベッド。
【請求項１０】
前記壁部は、前記シート本体の両側部の巻回の強さを調節することにより、その径が調節されていることを特徴とする請求項３から９のいずれか１項に記載のペット用ベッド。
【請求項１１】
一対の前記壁部の両端近傍は、弾性を有する環状の結束部材によって結束されていることを特徴とする請求項１から１０のいずれか１項に記載ペット用ベッド。
【請求項１２】
前記結束部材は、環状に形成されたゴム紐からなることを特徴とする請求項１１に記載のペット用ベッド。
【請求項１３】
前記結束部材は、前記ゴム紐の周囲に、前記シート本体と同一の布地が巻き付けられていることを特徴とする請求項１２に記載のペット用ベッド。
【請求項１４】
前記シート本体は、長尺のシートを分割し、一方をシート本体とし、他方をシート本体の中央に重ねて縫い合わせることによりポケット部とすることにより形成されていることを特徴とする請求項３から１３のいずれか１項に記載のペット用ベッド。
【請求項１５】
前記シート本体は、前記壁部が形成される両側部が、予め外側へ湾曲されていることを特徴とする請求項３から１４のいずれか１項に記載のペット用ベッド。
【考案の詳細な説明】
【技術分野】
【０００１】
本考案は、例えば、子犬や子猫などのペットの寝床を形成するペット用ベッドに関する。
【背景技術】
【０００２】
一般に、子犬や子猫などのペット用のベッドとして、ウレタンフォームなどの発泡樹脂によって成型したものや樹脂フィルムを空気で膨らませたものが知られており、そして、この種のペット用のベッドは、子犬や子猫などのペットが自由に動き回ることができる比較的大きなスペースを備えたものが一般的である（例えば、特許文献１〜３参照）。
【特許文献１】実用新案登録第３０１９６８２号公報
【特許文献２】特開２０００−４１７８７号公報
【特許文献３】特開２００２−８４９１２号公報
【考案の開示】
【考案が解決しようとする課題】
【０００３】
ところで、例えば、生後４ヶ月以内の子犬は、一緒に生まれた兄弟と寄り添うことにより、安心感を得て眠るという行動心理があるが、上記のベッドは、ペットが入るスペースが平面視円形あるいは矩形で比較的大きく、生後間もない子犬にとっては、安心感が得られず、落ち着きが得られないという問題があった。
【０００４】
しかも、発泡樹脂によって成型したベッドは、畳むことが困難であり、また、折り畳んだとしても、各部の厚みが厚いため嵩張ってしまい、持ち運びが不便であった。また、空気によって膨らませる樹脂フィルム製のベッドは、ペットが噛みついたりして損傷すると、空気が漏れてしぼんでしまう。
【０００５】
また、発泡樹脂や樹脂フィルム製の上記ベッドは、洗濯が困難であり、しかも、大きさが決まっているため、ペットの成長に合わせて大きなものに買い換えなければならず、その場合、使われなくなった小さなベッドを保管したり処分しなければならなかった。
【０００６】
本考案は、上記事情に鑑みてなされたもので、容易に洗濯することができ、しかも、携帯性に優れ、ペットが安心して快適に過ごせるペット用ベッドを提供することを目的としている。
【課題を解決するための手段】
【０００７】
上記目的を達成するために、本考案のペット用ベッドは、シート部と、該シート部の両側部に設けられた一対の壁部とを有し、前記壁部は、その両端が互いに結束され、中央部が外方へ湾曲され、前記シート部上における前記壁部同士の間に、平面視略楕円形状のペット収容スペースが形成されていることを特徴としている。
【０００８】
このように、一対の壁部が湾曲されて、ペット収容スペースが平面視略楕円形状とされているので、一緒に生まれた兄弟と寄り添うことにより安心感を得るという行動心理がある生後間もない子犬などのペットは、湾曲した壁部を兄弟としてこの壁部に沿ってペット収容スペース内にて大きな安心感を得ながらくつろぐことができる。
【０００９】
また、前記壁部は、前記ペット収容スペースに収容させるペットの胴回りと略等しい径に形成されていることが好ましい。
【００１０】
このように、ペット自身の胴回りに略等しい径に壁部が形成されているので、ペット収容スペース内のペットは、さらに自然に壁部を兄弟と思って寄り添うこととなり、さらに大きな安心感を与えながらくつろがせることができる。
【００１１】
また、矩形状のシート本体の両側部を互いに近接する方向に巻回して前記壁部を形成し、これら壁部の両端近傍を結束し、さらにこれら壁部の中央付近を互いに離間する方向へ引き離して湾曲させることにより形成されていることが望ましい。
【００１２】
このように、シート本体の両側部を巻回し、その両端近傍を結束し、壁部の中央付近を引き離すことにより、極めて容易に形成されたものであるので、製造コストを大幅に低減することができるとともに、使用しないときはシート本体の状態にして折り畳むことにより、持ち運び及び収納の容易化を図ることができる。これにより、特に、ペットの成長に合わせて大きなものに買い換えても、使用しなくなった小さなベッドを小さな収納スペースにて保管することができる。
【００１３】
また、自動車などの車両に積み込む際には、そのまま車両内に積み込むだけでなく、分解してシート本体を車両の荷台やシート上に敷くこともできる。
【００１４】
また、前記シート本体は、タオル地からなることが好ましく、また、前記シート本体は、フリース地からなることが好ましい。
【００１５】
このように、タオル地あるいはフリース地などの柔軟な布地から形成することにより、ペットへの安心感をさらに高めることができ、特に、タオル地から形成することにより、シート本体自体をタオルとして用いることもでき、また、フリース地から形成することにより、冬期などでも高い保温性を確保することができる。
【００１６】
また、ペットが噛みついたりひっかいたりしても損傷が小さく、しかも、容易に洗濯することができる。
【００１７】
さらに、前記シート本体には、その中央部分にポケット部を備えていることが好ましい。そして、前記ポケット部には、ヒータあるいは保冷材が収納されていることが好ましい。
【００１８】
これにより、冬期においては、ポケット部内にヒータを入れ、また、夏期においては、ポケット部内に保冷材を入れることにより、ペット収容スペース内における環境をより良くすることができる。
【００１９】
また、前記壁部は、棒状の芯材を中心に入れて前記シート本体の両側部を巻回することにより形成されていても良い。
【００２０】
このように、芯材を入れることにより、型崩れのしない丈夫な壁部とすることができる。
【００２１】
また、前記壁部は、前記シート本体の両側部の巻回の強さを調節することにより、その径が調節されていることが好ましい。
【００２２】
つまり、ペットの成長に合わせて巻回の強さを調整し、壁部の径をペットの胴回りの径に極力近づけることができる。
【００２３】
また、一対の前記壁部の両端近傍は、弾性を有する環状の結束部材によって結束されていることが望ましい。そして、前記結束部材は、環状に形成されたゴム紐からなることが好ましく、前記ゴム紐の周囲に、前記シート本体と同一の布地が巻き付けられていることが望ましい。
【００２４】
これにより、一対の壁部を容易に結束させることができ、また、金具や樹脂などを使わないので、ペットに対する安全性を高めることができる。
【００２５】
また、前記シート本体は、長尺のシートを分割し、一方をシート本体とし、他方をシート本体の中央に重ねて縫い合わせることによりポケット部とすることにより形成されていることが好ましい。
【００２６】
つまり、一枚の長尺のシートからシート本体を形成し、このシート本体を組み立てることができるので、極めて安価に製造することができる。
【００２７】
さらに、前記シート本体は、前記壁部が形成される両側部が、予め外側へ湾曲されていることが好ましい。
【００２８】
これにより、シート本体の両側部を巻回して壁部を形成することにより、壁部を自然に湾曲形状に形成することができる。
【考案の効果】
【００２９】
本考案のペット用ベッドによれば、一対の壁部が湾曲されて、ペット収容スペースが平面視略楕円形状とされているので、一緒に生まれた兄弟と寄り添うことにより安心感を得るという行動心理がある生後間もない子犬などのペットは、湾曲した壁部を兄弟としてこの壁部に沿ってペット収容スペース内にて大きな安心感を得ながらくつろぐことができる。
【考案を実施するための最良の形態】
【００３０】
以下、本考案に係るペット用ベッドの実施形態について図面を参照して説明する。
【００３１】
図１は、本実施形態のペット用ベッドを示す斜視図、図２は、ペット用ベッドの平面図、図３は、ペット用ベッドの側面図、図４は、ペット用ベッドの展開図である。
【００３２】
図１〜図３に示すように、このペット用ベッド１は、シート部２と、このシート部２の両側部に沿って設けられた壁部３とを備えている。壁部３は、それぞれ外側に湾曲した形状とされ、その両端近傍が結束部材４によって結束されている。そして、シート部２の上部における壁部３同士の間がペット収容スペースＳとされ、このペット収容スペースＳに、子犬などのペットＰが収容可能とされている。
【００３３】
このペット用ベッド１は、柔軟なタオル地からなるもので、その表面は、無数の毛を有している。このタオル地の毛としては、ペットＰの爪の引っかかりを防止すべく、ループ状になっていないものが好ましい。なお、ペット用ベッド１を形成する布地としてはフリース地を用いても良い。
【００３４】
このペット用ベッド１の湾曲した壁部３は、緩やかな曲率とされており、また、ペットＰが収容可能なペット収容スペースＳは、平面視略楕円形状とされ、生後約４ヶ月以下の１匹の子犬が収容可能な程度の大きさとされている。
【００３５】
このペット用ベッド１は、図４に示すように、平面視長方形状の１枚のタオル地からなるシート本体１１と、壁部３を結束する一対の結束部材４とから構成されている。
【００３６】
シート本体１１には、その中央部分に、ポケット部１２が設けられている。このポケット部１２は、幅寸法がシート本体１１と略同一のタオル地からなる小シート１３を重ね合わせ、この小シート１３の両側部をシート本体１１に縫い合わすことにより形成されたもので、小シート１３の両端側が開口部１２ａとされた袋状に形成されている。
【００３７】
このシート本体１１を形成するには、まず、タオル地からなる長尺のシートを半分に裁断し、分割した一方をシート本体１１とし、他方をさらに裁断して小シート１３を形成し、この小シート１３をシート本体１１の中央部分に重ね合わせ、その両側部を縫い合わせる。
【００３８】
なお、他方のシートをさらに裁断して小シート１３を形成した後の端切れのタオル地をさらに半分に裁断し、このタオル地を、環状のゴム紐の回りを覆うように巻き付けて縫い付けることにより結束部材４が形成される。
【００３９】
次に、上記シート本体１１と結束部材４とからペット用ベッド１を形成する場合について説明する。
【００４０】
まず、図５（ａ）に示すように、シート本体１１を広げ、このシート本体１１の両側部を、中央側へ向かって巻回する。このようにすると、図５（ｂ）に示すように、このシート本体１１の両側部に、巻回したシート本体１１からなる断面円形の一対の壁部３が形成される。
【００４１】
次に、一対の壁部３の両端を結束部材４に通し、図５（ｃ）に示すように、この結束部材４によって一対の壁部３の両端近傍を結束する。その後、一対の壁部３の中央部分を外側に引っ張ることにより互いに離間させてそれぞれ湾曲させ、図５（ｄ）に示すように、これら壁部３間に、平面視略楕円形のペット収容スペースＳを形成する。
【００４２】
上記の手順によって、シート本体１１と一対の結束部材４とからなるペット用ベッド１が容易に形成される。
【００４３】
ここで、冬期においては、図６に示すように、ポケット部１２内に、その開口部１２ａからヒータ２１を入れても良く、また、夏期においては、図７に示すように、ポケット部１２内に、その開口部１２ａから保冷材２２を入れても良い。これにより、ペット収容スペースＳ内における環境をより良くすることができる。
【００４４】
以上、説明したように、上記実施形態に係るペット用ベッドによれば、一対の壁部３が湾曲されて、ペット収容スペースＳが平面視略楕円形状とされているので、一緒に生まれた兄弟と寄り添うことにより安心感を得るという行動心理がある生後間もない子犬などのペットＰは、湾曲した壁部３を兄弟としてこの壁部３に沿ってペット収容スペースＳ内にて大きな安心感を得ながらくつろぐことができる。
【００４５】
また、ペットＰ自身の胴回りに略等しい径に壁部３が形成されているので、ペット収容スペースＳ内のペットＰは、さらに自然に壁部３を兄弟と思って寄り添うこととなり、さらに大きな安心感を与えながらくつろがせることができる。
【００４６】
また、シート本体１１の両側部を巻回し、その両端近傍を結束し、壁部３の中央付近を引き離すことにより、極めて容易に形成されたものであるので、製造コストを大幅に低減することができるとともに、使用しないときはシート本体１１の状態にして折り畳むことにより、持ち運び及び収納の容易化を図ることができる。これにより、特に、ペットＰの成長に合わせて大きなものに買い換えても、使用しなくなった小さなベッドを小さな収納スペースにて保管することができる。
【００４７】
また、自動車などの車両に積み込む際には、そのまま車両内に積み込むだけでなく、分解してシート本体１１を車両の荷台やシート上に敷くこともできる。
【００４８】
また、タオル地あるいはフリース地などの柔軟な布地から形成することにより、ペットＰへの安心感をさらに高めることができ、特に、タオル地から形成することにより、シート本体１１をタオルとして用いることができ、また、フリース地から形成することにより、冬期などでも高い保温性を確保することができる。また、ペットＰが噛みついたりひっかいたりしても損傷が小さく、しかも、容易に洗濯することができる。
【００４９】
さらに、シート本体１１の中央部分にポケット部１２を備えたので、冬期においては、ポケット部１２内にヒータ２１を入れ、また、夏期においては、ポケット部１３内に保冷材２２を入れることにより、ペット収容スペースＳ内における環境をより良くすることができる。
【００５０】
なお、ポケット部１２の開口部１２ａは、ポケット部１２に対してヒータ２１あるいは保冷材２２を出し入れすることができるのであれば、小シート１３の両端部に設ける必要はなく、小シート１３の一端部だけに設けても良く、さらには、小シート１３の両側部あるいは一側部だけに設けても良い。
【００５１】
また、壁部３の中心に、例えば、タオルなどを棒状に丸めた芯材を入れることにより、型崩れのしない丈夫な壁部３とすることができる。
【００５２】
また、ペットＰの成長に合わせてシート本体１１の両側部の巻回の強さを調整することにより、壁部３の径をペットの胴回りの径に極力近づけることができる。
【００５３】
また、結束部材４が、環状に形成されたゴム紐からなり、ゴム紐の周囲に、シート本体１１と同一の布地が巻き付けられているので、この結束部材４によって一対の壁部３を容易に結束させることができ、また、金具や樹脂などを使わないので、ペットＰに対する安全性を高めることができる。
【００５４】
また、一枚の長尺のシートを分割し、一方をシート本体１１とし、他方をシート本体１１の中央に重ねて縫い合わせることにより、ポケット部１２を備えたシート本体１１を形成し、このシート本体１１から組み立てることができるので、極めて安価に製造することができる。
【００５５】
なお、シート本体１１の両側部を予め外側へ湾曲させておくことにより、シート本体１１の両側部を巻回して壁部３を形成するだけで、壁部３を自然に湾曲形状に形成することができる。
【図面の簡単な説明】
【００５６】
【図１】本実施形態のペット用ベッドを示す斜視図である。
【図２】ペット用ベッドの平面図である。
【図３】ペット用ベッドの側面図である。
【図４】ペット用ベッドの展開図である。
【図５】ペット用ベッドの組み立て手順を説明する図である。
【図６】シート本体のポケット部へヒータを収納する場合について説明する斜視図である。
【図７】シート本体のポケット部へ保冷材を収納する場合について説明する斜視図である。
【符号の説明】
【００５７】
１  ペット用ベッド
２  シート部
３  壁部
４  結束部材
１１  シート本体
１２  ポケット部
２１  ヒータ
２２  保冷材
Ｓ  ペット収容スペース
Ｐ  ペット
【図１】
0003117377.tif 000003
【図２】
0003117377.tif 000004
【図３】
0003117377.tif 000005
【図４】
0003117377.tif 000006
【図５】
0003117377.tif 000007
【図６】
0003117377.tif 000008
【図７】
0003117377.tif 000009